(57)【要約】【課題】構成を簡素化し、小型化および低コスト化を図る上で有利なトレー機構および光ディスク装置を提供する。【解決手段】トレー１０はトレー本体１２と、該トレー本体１２の前辺に取着される取付部材１４と、取付部材１４を介してトレー本体１２の前辺に取着されるトレー蓋１６と、トレー蓋１６に設けられるクッション材１８と、取付部材１４とトレー蓋１６の間に設けられるばね部材１９と、取付ねじ２０とを備えている。取付ねじ２０の軸部を、トレー蓋１６の連結片１６０４のねじ挿通孔１６１５とばね部材１９のねじ挿通孔１９０６に挿通させ、取付ねじ２０のねじ部２００６を取付部材１４のねじ孔１４２２に螺合させる。これによりトレー蓋１６は、ばね部材１９とともに取付部材１４に取着され、トレー蓋１６は取付ねじ２０の軸部２００４を中心に揺動可能に配設される。【選択図】　　　　図７
2004127337.tif 000002
【特許請求の範囲】
【請求項１】
筐体に設けられた細長形状の開口部を介して該筐体の内部と外部にわたって出没可能に設けられたトレー本体と、
前記トレー本体の前端に取着され、前記トレー本体が前記筐体内に引込まれた状態で前記筐体の外側に位置し前記開口部を覆う細長形状のトレー蓋とを備え、前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされている、
ことを特徴とするトレー機構。
【請求項２】
光ディスクを回転駆動する駆動手段と、
前記駆動手段によって回転駆動する光ディスクに対し、光を照射し、前記光ディスクからの反射光を検出する光ヘッドと、
前記駆動手段および光ヘッドを収容しその外面に操作部が設けられた筐体とを有し、
前記筐体の内部と外部にわたって前記光ディスクの出し入れを行なうトレー機構を設けた光ディスク装置において、
前記トレー機構は、
前記光ディスクが載置され、前記筐体に設けられた細長形状の開口部を介して該筐体の内部と外部にわたって出没可能に設けられるトレー本体と、
前記トレー本体の前端に取着され、前記トレー本体が前記筐体内に引込まれた状態で前記筐体の外側に位置し前記開口部を覆う細長形状のトレー蓋とを備え、前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされている、
ことを特徴とする光ディスク装置。
【請求項３】
前記トレー蓋の前記トレー本体に対する取着は、前記トレー蓋の長手方向の中央部が前記トレー本体に結合されることでなされていることを特徴とする請求項１記載のトレー機構または請求項２記載の光ディスク装置。
【請求項４】
前記トレー蓋は、高さと、この高さよりも大きな寸法の幅を有することで前記細長形状に形成され、前記トレー蓋の長手方向の中央部で前記トレー蓋が前記トレー本体に臨む箇所に前記トレー本体に向けて連結片が突設され、前記トレー蓋の前記トレー本体に対する取着は、前記連結片の先端が前記トレー本体に揺動可能に結合されることでなされていることを特徴とする請求項１記載のトレー機構または請求項２記載の光ディスク装置。
【請求項５】
前記トレー蓋は、高さと、この高さよりも大きな寸法の幅を有することで前記細長形状に形成され、前記トレー蓋の長手方向の中央部で前記トレー本体に臨む箇所に前記トレー本体に向けて連結片が突設され、前記トレー蓋の前記トレー本体に対する取着は、前記連結片の先端が前記トレー本体に揺動可能に、かつ、前記トレー本体が前記筐体内に引込まれた状態で前記開口部を覆える範囲内で前記軸心方向に移動可能に結合されることでなされていることを特徴とする請求項１記載のトレー機構または請求項２記載の光ディスク装置。
【請求項６】
前記トレー本体の前端は直線状に延在する前辺を備え、前記トレー本体と前記トレー蓋との間に、前記トレー蓋が前記前辺に対して平行した状態で延在する姿勢が保持されるように該トレー蓋を付勢するばね手段が設けられていることを特徴とする請求項１記載のトレー機構または請求項２記載の光ディスク装置。
【請求項７】
前記トレー蓋が前記筐体に臨む箇所には、前記トレー本体が前記筐体内に引込まれた状態で前記開口部の周囲の筐体箇所に接触するクッション材が設けられていることを特徴とする請求項１記載のトレー機構または請求項２記載の光ディスク装置。
【発明の詳細な説明】
【０００１】
【発明の属する技術分野】
本発明はトレー機構および光ディスク装置に関する。
【０００２】
【従来の技術】
一般的に、光ディスク装置には光ディスクを載置するトレーが筐体の内部と外部にわたって出没可能に設けられている。トレーは、光ディスクを載置するためのトレー本体と、該トレー本体の前部に設けられた矩形板状のトレー蓋とを備えており、トレー本体が筐体内に引込まれた状態でトレー蓋の背面が筐体外面に当接し、トレー蓋の外面が筐体外方に臨むように構成されている。
このような光ディスク装置においては、筐体内の音が筐体外部に漏れたり、筐体内への塵埃が侵入したりすることを防ぐため、トレー本体が筐体内に引込まれた状態でトレー蓋の背面と筐体の外面との間を密閉する構成となっている。
例えば、トレー蓋をトレー本体の引込方向および突出方向に移動自在に設け、該トレー蓋を前記引込方向に付勢し、かつ、トレー蓋の背面に臨む筐体の外面箇所にシール部材を配設した構成が開示されている（特許文献１）。
このような構成では、トレー本体が筐体内に引込まれたときにトレー蓋の背面が筐体外面のシール部材に当接することにより、トレー蓋の背面と筐体の外面との間が密閉される。
【０００３】
【特許文献１】
特開平９−５５００５
【０００４】
【発明が解決しようとする課題】
しかしながら、このようにトレー蓋をトレー本体に対して引込方向および突出方向に移動自在に設ける構成では、前記引込方向および突出方向と直交する方向におけるトレー蓋の位置決めを行なう部材をトレー本体とトレー蓋に設ける必要がある。このため、構成が複雑となり、小型化や低コスト化を図る上で不利であった。
本発明は、このような事情に鑑みてなされ、その目的とするところは、構成を簡素化し、小型化および低コスト化を図る上で有利なトレー機構および光ディスク装置を提供することにある。
【０００５】
【課題を解決するための手段】
本発明のトレー機構は、前記目的を達成するため、筐体に設けられた細長形状の開口部を介して該筐体の内部と外部にわたって出没可能に設けられたトレー本体と、前記トレー本体の前端に取着され、前記トレー本体が前記筐体内に引込まれた状態で前記筐体の外側に位置し前記開口部を覆う細長形状のトレー蓋とを備え、前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされていることを特徴とする。
また、本発明の光ディスク装置は、光ディスクを回転駆動する駆動手段と、前記駆動手段によって回転駆動する光ディスクに対し、光を照射し、前記光ディスクからの反射光を検出する光ヘッドと、前記駆動手段および光ヘッドを収容しその外面に操作部が設けられた筐体とを有し、前記筐体の内部と外部にわたって前記光ディスクの出し入れを行なうトレー機構を設けた光ディスク装置において、前記トレー機構は、前記光ディスクが載置され、前記筐体に設けられた細長形状の開口部を介して該筐体の内部と外部にわたって出没可能に設けられるトレー本体と、前記トレー本体の前端に取着され、前記トレー本体が前記筐体内に引込まれた状態で前記筐体の外側に位置し前記開口部を覆う細長形状のトレー蓋とを備え、前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされていることを特徴とする。
そのため、本発明によれば、トレー本体が筐体内に引込まれてトレー蓋が筐体の外側に位置し開口部を覆った状態で、トレー蓋が筐体の外面にならってトレー本体の出没する方向およびトレー蓋の長手方向の双方向に対して直交する方向に延在する軸心を支点として揺動される。
【０００６】
【発明の実施の形態】
以下、本発明によるトレー機構および光ディスク装置の実施の形態を図面に基づいて詳細に説明する。
図１は、本発明の第１の実施の形態における光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、トレー１０、トレー駆動手段２２、制御部１２４などを備えて構成されている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００７】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、前記トレー１０の突出や引込の操作を行なうための操作ボタンなどを有して構成されている。
前記表示手段１１６は、前記光ディスク装置１００の動作状態を表示するためのものであり、ＬＥＤランプや文字表示器などを有して構成されている。
前記トレー１０は、光ディスク装置１００の筐体の外部と内部の間で光ディスク１０１の受け渡しを行なうように構成されている。
前記トレー駆動手段２２は、前記トレー１０を突出方向および引込方向に駆動するように構成されている。
前記制御部１２６は、上述したスピンドルモータ１０２、サーボ制御部１０８、信号処理部１１０、インターフェース部１１２、操作部１１４、表示部１１６、トレー駆動手段２２などの制御を司るものである。
なお、本実施の形態では前記光ディスク装置が記録および再生の双方の動作を行なうものとして説明するが、本発明は前記光ディスク装置が記録および再生の少なくとも一方を行なうように構成されたものであればよい。
【０００８】
図２は本発明の実施の形態における光ディスク装置のトレーが突出された状態を示す斜視図である。
図２に示すように、光ディスク装置１００は、高さと、高さよりも大きな寸法の幅と長さを有する矩形板状の筐体１３０を有している。
前記筐体１３０の外面１３１は、上下方向の高さと、この高さよりも大きな寸法の左右方向の幅を有し、外面１３１には、表示部１３２、開口部１３４、複数の操作ボタン１３６、電源スイッチ１３８などが設けられている。
前記表示部１３２は、前記外面１３１に幅方向に延在して設けられた光が透過可能な材料で構成され前記筐体１３０の一部を構成するカバー部材１３３と、該カバー部材の内側に配設された前記表示手段１１６を構成する前記ＬＥＤランプや文字表示器とを含んで構成され、前記表示手段１１６を構成している。本実施の形態では前記カバー部材１３３は透明なアクリル樹脂などで形成されている。前記開口部１３４は、前記カバー部材１３３の中央箇所に、高さと該高さよりも大きな寸法の幅を有する細長形状に設けられている。
前記複数の操作ボタン１３６は、前記トレー駆動手段２２によるトレー１０の突出動作および引込動作を指示するためのトレー操作ボタンと、光ディスクに対する記録、再生、早送り、早戻しなどを指示するための各種操作ボタンなどを含んで構成され、前記操作手段１１４を構成している。
前記電源スイッチ１３８は、この光ディスク装置１００の電源のオンオフを行なうためのものであり、前記操作手段１１４を構成している。
【０００９】
図３はトレー１０の前部を後方から見た斜視図、図４はトレー１０の前部の縦断面図、図５はトレー蓋を後方から見た斜視図、図６は取付部材とばね部材の斜視図である。
図２、図３に示すように、トレー１０は、光ディスクが載置される矩形板状のトレー本体１２と、該トレー本体１２の前辺に取着される取付部材１４と、取付部材１４を介してトレー本体１２の前辺に取着されるトレー蓋１６と、トレー蓋１６に設けられるクッション材１８と、取付部材１４とトレー蓋１６の間に設けられるばね部材１９と、取付ねじ２０とを備えている。
前記トレー本体１２は、前記開口部１３４を介して該筐体１３０の内部と外部にわたって出没可能に設けられている。前記トレー本体１２の上部中央には前記光ディスクが載置される円形の凹部１２０２が形成されている。
【００１０】
前記取付部材１４は、図２、図６に示すように、前記トレー本体１２とほぼ同じ幅を有する矩形状の平板部１４０２と、平板部１４０２の前部から起立する前壁１４０４と、平板部１４０２の幅方向の両側から起立する２つの側壁１４０６と、これら側壁１４０６の後部から幅方向内側に屈曲された２つの嵌合片１４０８とを備えている。
前記平板部１４０２の下面の前部寄りで幅方向中心箇所には、ボス部１４２０が形成されている。前記ボス部１４２０にはねじ孔１４２２が設けられ、該ねじ孔１４２２を挟む幅方向の両側には位置決め用の凸部１４２４が突設されている。
前記前壁１４０４の幅方向の両側寄り箇所には第１、第２の挿通孔１４１０、１４１２が形成されている。
また、前記前壁１４０４の前記第１、第２の挿通孔１４１０、１４１２よりも幅方向の内側寄り箇所には第１、第２のスリット１４１４、１４１６が幅方向に沿って延在形成されている。
前記前壁１４０４の幅方向の中心箇所には中央開口１４１８が形成されている。
【００１１】
前記トレー蓋１６は、図２、図５に示すように、高さとこの高さよりも大きな寸法の幅を有して前記開口部１３４よりも大きい輪郭の細長形状に形成されている。
前記トレー蓋１６は、前記筐体１３０の前方に臨む正面１６０２と、該正面１６０２の反対側に位置する背面１６０４とを有している。
前記背面１６０４の幅方向の両側寄り箇所には、第１、第２の軸部１６０６、１６０８が後方に向けて突設されている。これら第１、第２の軸部１６０６、１６０８の先端には係合部１６０９が形成されている。
前記背面１６０４の前記第１、第２の軸部１６０６、１６０８の幅方向内側寄り箇所には、薄板状の第１、第２の突片１６１０、１６１２が後方に向けて突設されている。これら第１、第２の突片１６１０、１６１２の先端には、係止孔１６１３が設けられている。
前記背面１６０４の幅方向の中心箇所には、連結片１６１４が後方に向けて突設されている。この連結片１６１４の先端にはねじ挿通孔１６１５が設けられている。
【００１２】
前記クッション材１８は、図５に示すように、前記トレー蓋１６の背面１６０４の輪郭よりも小さく、かつ、前記開口部１３４を塞げるように該開口部１３４よりも大きな輪郭の矩形板状に形成されている。
前記クッション材１８は、例えば、スポンジやウレタンゴムなどのような衝撃を吸収できる材料で形成されている。
前記クッション材１８は、その前面１８０２が前記トレー蓋１６の背面１６０４に接着剤などによって取着されており、前記第１、第２の軸部１６０６、１６０８、第１、第２の突片１６１０、１６１２、連結片１６１４はこのクッション材１８を挿通してクッション材１８の背面１８０４から突出している。
【００１３】
前記ばね部材１９は、図６に示すように、中央に形成された取付部１９０２と、該取付部１９０２の両側から幅方向外側に延出された２つの板ばね部１９０４とを備えている。
前記取付部１９０２は矩形板状に形成され、その中央にはねじ挿通孔１９０６が設けられ、該ねじ挿通孔１９０６の幅方向の両外側に位置決め用の孔１９０８が設けられている。
前記取付部１９０２の前部には、前方に突出するばね部１９１０が設けられている。
前記取付部１９０２の後部には、該取付部１９０２から起立する起立片１９１２が設けられ、該起立片１９１２には中央開口１９１４が設けられている。該中央開口１９１４は前記トレー蓋１６の連結片１６１４が挿通された状態で該連結片１６１４がトレー蓋１６の幅方向および高さ方向に移動可能となるように形成されている。
前記各板ばね部１９０４は、先端部分が前記取付部１９０２に接続されている部分よりも後方に位置するように屈曲されて形成されている。
前記各板ばね部１９０４の先端には第１、第２のスリット１９１６、１９１８が形成され、各第１、第２のスリット１９１６、１９１８には係合片１９２０が突設されている。
前記取付ねじ２０は、図５に示すように、頭部２００２と、前記頭部２００２に接続され該頭部２００２よりも小径の軸部２００４と、前記軸部２００４の先端に形成され該軸部２００４よりも小径のねじ部２００６とを有している。
【００１４】
次に、前記トレー１０の組立てについて説明する。
まず、図６に示すように、ばね部材１９を前記取付部材１４に取付ける。すなわち、前記ばね部材１９のばね部１９１０を前記取付部材１４の中央開口１４１８に臨ませ、ばね部材１９の取付部１９０２の２つの孔１９０８に取付部材１４のボス部１４２０の２つの凸部１４２４を圧入させる。これにより、ばね部材１９は取付部材１４に位置決めされ、仮固定される。
前記ばね部材１９が取付部材１４に仮固定された状態で、ばね部材１９の取付部１９０２のねじ挿通孔１９０６は、取付部材１４のボス部１４２０のねじ孔１４２２上に位置し、前記ばね部材１９のばね部１９１０は、取付部材１４の中央開口１４１８を介して前壁１４０４から前方に突出される。
また、前記ばね部材１９の中央開口１９１４が取付部材１４の中央開口１４１８に対向し、ばね部材１９の各スリット１９１６が取付部材１４の第１、第２のスリット１４１４、１４１６に対向した状態となる。
【００１５】
次に、図３に示すように、前記トレー蓋１６を取付部材１４に取付ける。
すなわち、前記トレー蓋１６の背面１６０４、すなわちクッション材１８の背面１８０４を前記取付部材１４の前壁１４０４に臨ませ、トレー蓋１６の連結片１６１５を取付部材１４の中央開口１４１を通して前記ばね部材１４の中央開口１９１４に挿入する。
また同時に、前記トレー蓋１６の第１、第２の突片１６１０、１６１２を取付部材１４の第１、第２のスリット１４１４、１４１６を通して前記ばね部材１４の第１、第２スリット１９１６、１９１８にそれぞれ挿入し、ばね部材１４の各係合片１９２０をトレー蓋１６の第１、第２の突片１６１０、１６１２の係止孔１６１３に係合させる。
また同時に、トレー蓋１６の第１、第２の軸部１６０６、１６０８を取付部材１４の第１、第２の挿通孔１４１０、１４１２にそれぞれ挿通させる。
これら第１、第２の軸部１６０６、１６０８が取付部材１４の第１、第２の挿通孔１４１０、１４１２に挿通された状態で、第１、第２の軸部１６０６、１６０８の各係合部１６０９と第１、第２の挿通孔１４１０、１４１２の縁部とが前後方向に間隔をおいて対向している。
したがって、前記トレー蓋１６が前記取付部材１４から外れる方向に移動されても、第１、第２の軸部１６０６、１６０８の各係合部１６０９と第１、第２の挿通孔１４１０、１４１２の縁部とが係合することにより、トレー蓋１６の取付部材１４からの抜落が防止される。
また、取付部材１４の前壁１４０４とトレー蓋１６の背面１６０４との間には、前記クッション部材１８が位置することになる。
【００１６】
そして、図４、図５に示すように、前記取付ねじ２０の軸部２００４を、前記トレー蓋１６の連結片１６０４のねじ挿通孔１６１５とばね部材１９のねじ挿通孔１９０６に挿通させ、取付ねじ２０のねじ部２００６を取付部材１４のねじ孔１４２２に螺合させる。
これにより、前記トレー蓋１６は、前記ばね部材１９とともに取付部材１４に取着されることになる。
この状態で、前記トレー蓋１６は取付ねじ２０の軸部２００４を中心に揺動可能に、かつ、軸部２００４の軸方向に沿って移動可能に配設されることになる。換言すれば、前記トレー蓋１６の前記トレー本体１２に対する取着は、前記トレー本体１２の前記出没する方向および前記トレー蓋１６の長手方向の双方向に対して直交する方向に延在する軸心を支点として揺動できるように、前記トレー蓋１６の長手方向の中央部が前記トレー本体１２に結合されることでなされている。
また、前記ばね部材１９のばね部１９１０がトレー蓋１６の背面１６０４の箇所に当接し、トレー蓋１６の幅方向の中央部を前方に付勢しており、さらに、ばね部材１９の各板ばね部１９０４の１６１３がトレー蓋１６の第１、第２の突片１６１０、１６１２の係止孔１６１３に係止することでトレー蓋１６の幅方向の両側部を後方に付勢しており、このようなばね部１９１０と各板ばね部１９０４とによりトレー蓋１６は、クッション材１８が取付部材１４の前壁１４０４に接触し、取付部材１４の前壁１４０２に沿って前壁１４０４と平行して延在する姿勢が保持されるように構成されている。
このように前記取付部材１４にばね部材１９とトレー蓋１６が取着された状態で取付部材１４は前記トレー本体１２に組み込まれる。
すなわち、前記取付部材１４のトレー本体１２の前辺への取付は、図４に示すように、前辺の段部１２０４上に取付部材１４の平板部１４０２の後部が載置され、前記取付部材１４の２つの取付片１４０８がトレー本体１２の幅方向両側に形成された不図示の嵌合凹部に嵌合されることによってなされる。
なお、本実施の形態においては、前記トレー１０、トレー駆動手段２２、開口部１３４によって本発明のトレー機構が構成されている。
【００１７】
次に上述のように構成されたトレー機構の動きについて説明する。
前記トレー１０が突出された状態では、前記トレー蓋１６は、前記ばね手段１９によって前記取付部材１４の前壁１４０４に対して平行した状態で延在するように付勢されている。
図７はトレー１０を上方から見た状態を示している。
前記トレー１０上に光ディスクが載置され、前記トレー操作ボタンによって引込動作の操作がなされると、図７に示すように、トレー１０が筐体１３０の内部に引込まれ、前記トレー蓋１６の背面１６０４のクッション材１８が前記開口部１３４の周囲の筐体１３０箇所に隙間なく接触し、開口部１３４が確実に密閉される。
【００１８】
この場合、前記トレー本体１２の前辺、すなわち取付部材１４の長手方向が、前記筐体１３０の外面に対して平行している場合、トレー蓋１６は筐体の外面に対して平行した状態で開口部１３４を密閉することになる。
また、図８に示すように、前記トレー本体１２の前辺、すなわち取付部材１４の長手方向が、前記筐体１３０の外面に対して平行していない場合、トレー１０が筐体１３０の内部に引込まれる際、まず、前記トレー蓋１６の長手方向の両側のうち、筐体１３０に近い方に位置している一方の側がクッション材１８を介して筐体１３０箇所に当接する。そして、図中二点鎖線で示す位置から実線で示す位置に、前記トレー蓋１６が前記ばね部材１９の付勢力に抗して前記取付ねじ２０の軸部２００４を中心にして揺動される。このトレー蓋１６の揺動により、前記トレー蓋１６はその長手方向の全長にわたって前記開口部１３４の周囲の筐体１３０箇所に隙間なく接触し、開口部１３４が確実に密閉される。
すなわち、前記トレー蓋１６は、前記筐体１３０の外側に位置した状態で前記筐体１３０の外面の傾斜にならって揺動され前記開口部１３４を覆う。
【００１９】
以上説明したように、本実施の形態によれば、トレー本体１２の出没する方向およびトレー蓋１６の長手方向の双方向に対して直交する方向に延在する軸心を支点としてトレー蓋１６が揺動できるように、トレー蓋１６を取付部材１４を介してトレー本体１２に結合した。
したがって、トレー本体１２が筐体１３０内に引込まれたときにトレー蓋１６の背面１６０４と筐体１３０の外面との間を確実に密閉することができるトレー機構および光ディスク装置を、従来よりも少ない部品によって簡素な構成で実現でき、小型化や低コスト化を図る上で有利となる。
また、本実施の形態では、前記トレー蓋１６の前記トレー本体１２に対する取着は、前記連結片１６１４の先端が前記トレー本体１２に揺動可能に、かつ、前記トレー本体１２が前記筐体１３０内に引込まれた状態で前記開口部１３４を覆える範囲内で前記取付ねじ２０の軸心方向に移動可能に結合されることでなされている。
したがって、前記トレー蓋１６が前記筐体１３０の外面に対して上向きあるいは下向きに傾斜していても、トレー本体１２が筐体１３０内に引込まれたときにトレー蓋１６が取付ねじ２０の軸心方向に移動することで筐体１３０の外面にならって上向きあるいは下向きに傾斜され、トレー蓋１６の背面１６０４と筐体１３０の外面との間を確実に密閉することができる
また、本実施の形態では、前記トレー本体１２と前記トレー蓋１６との間に、前記トレー蓋１６が前記トレー本体１２の前辺に対して平行した状態で延在するように該トレー蓋１６を付勢するばね手段１９を設けたので、トレー本体１２が突出されてトレー蓋１６が筐体１３０から離間してもトレー蓋１６がトレー本体１２の前辺に対して平行した姿勢を保持でき、これによりトレー蓋１６がトレー本体１２に対してがたつくことを防止できる。
また、本実施の形態では、トレー蓋１６が前記筐体１３０に臨む箇所に、トレー本体１２が筐体１３０内に引込まれた状態で開口部１３４の周囲の筐体１３０箇所に接触するクッション材１８が設けられているので、筐体１３０内の音が筐体１３０の外部に漏れたり、筐体１３０内への塵埃が侵入したりすることを防止する上で有利である。
また、前記トレー蓋１６はクッション材１８を介して筐体１３０箇所に当接するため、前記トレー蓋１６が金属材料などのように硬い材料で形成され、筐体１３０箇所がアクリル樹脂などのように傷付きやすい材料で形成されている場合に筐体１３０箇所で傷が発生することを防止する上で有利となる。
また、本実施の形態によれば、トレー本体１２とトレー蓋１６との間にクッション材１８が設けられている。
したがって、例えば前記光ディスクの回転駆動や光ヘッドのサーボ動作に伴って筐体１３０の内部で発生した振動がトレー本体１２に伝達されたとしても、該トレー本体１２からトレー蓋１６に伝達される振動は、前記クッション材１８によって緩和されることになり、トレー蓋１６を介して筐体１３０の外部に伝わる振動および該振動によって生じる音を抑制する上で有利となる。
【００２０】
【発明の効果】
以上説明したように本発明によれば、構成を簡素化し、小型化および低コスト化を図る上で有利なトレー機構および光ディスク装置を提供することができる。
【図面の簡単な説明】
【図１】本発明の第１の実施の形態における光ディスク装置の構成を示すブロック図である。
【図２】本発明の実施の形態における光ディスク装置のトレーが突出された状態を示す斜視図である。
【図３】トレーの前部を後方から見た斜視図である。
【図４】トレーの前部の縦断面図である。
【図５】トレー蓋を後方から見た斜視図である。
【図６】取付部材とばね部材の斜視図である。
【図７】トレー本体が筐体内に引込まれた状態を示す図である。
【図８】トレー本体が筐体内に引込まれた状態を示す図である。
【符号の説明】
１０……トレー、１２……トレー本体、１４……取付部材、１６……トレー蓋、１８……クッション材、１９……ばね部材、２０……取付ねじ、１００……光ディスク装置、１３０……筐体、１３３……カバー部材、１３４……開口部。
【図１】
2004127337.tif 000003
【図２】
2004127337.tif 000004
【図３】
2004127337.tif 000005
【図４】
2004127337.tif 000006
【図５】
2004127337.tif 000007
【図６】
2004127337.tif 000008
【図７】
2004127337.tif 000009
【図８】
2004127337.tif 000010